(57)【要約】【課題】電柱などの支持物に既に架設されているブラックライト発光機能を有しない既存の架空線にも容易に適用してブラックライトによる点検法を利用可能とする架空線用部材を提供すること。【解決手段】本発明の架空線用部材は、螺旋状の線材１０で構成され、送配電線としての架空線２０の外周に螺旋状に巻き付けて取付けられる。線材１０は、芯線と周囲の樹脂被覆層で構成され、樹脂被覆層には、ブラックライトに反応して発光する蛍光剤が混合される。【選択図】      図１
2007181366.tif 000002
【特許請求の範囲】
【請求項１】
送配電線の架空線の外周に取り付けられ、ブラックライトに反応する蛍光剤を含み、ブラックライトが照射されると発光する架空線用部材
【請求項２】
前記架空線用部材は、架空線の外周に螺旋状に取り付けられることを特徴とする請求項１の架空線用部材
【請求項３】
前記架空線用部材は、螺旋状に予備成形されたスパイラル線であることを特徴とする請求項２に記載の架空線用部材。
【請求項４】
前記架空線用部材は、芯線と樹脂被覆層からなり，前記樹脂被覆層に前記蛍光剤が混合されることを特徴とする請求項２もしくは３に記載の架空線用部材。
【請求項５】
前記架空線用部材は、架空線の外周に筒状に取り付けられるカバーであることを特徴とする請求項１の架空線用部材。
【請求項６】
前記カバーは合成樹脂からなり、この合成樹脂に前記蛍光剤が混合されることを特徴とする請求項５に記載の架空線用部材。
【発明の詳細な説明】
【技術分野】
【０００１】
本発明は、送電線や配電線などの架空線に取り付けられる架空線用部材に関するものである。
【背景技術】
【０００２】
電柱などの支持物に架設される送配電線としての架空線は、景観を損わないように黒色に作製されている。したがって、夜間、架空線の状況を点検しようとして照明を当てても架空線が光を吸収してしまって、よく見えないという問題点があった。
【０００３】
そこで、特許文献１に開示されるように、ケーブルの外皮に蛍光性物質を配合し、ブラックライト（近紫外線）を使用することにより、暗闇でも容易にケーブルを確認できるようにすることが行われている。
【特許文献１】特開２００１−３５２６８
【発明の開示】
【発明が解決しようとする課題】
【０００４】
しかし、ケーブルの外皮に蛍光性物質を配合してブラックライトを使用する方法は、蛍光性物質の配合がケーブルの製造時に行われるわけであるから、非配合で既に電柱上に架設されている既存の架空線に対しては適用することができず、大方の架空線に関しては、それが新規の蛍光性物質配合の架空線に交換されるときまでブラックライトによる点検法を利用できないという問題点があった。
【０００５】
本発明は上記の点に鑑みなされたもので、電柱などの支持物に既に架設されている既存の架空線にも容易に適用して，ブラックライトによる点検法を利用可能とする架空線用部材を提供することを目的とする。
【課題を解決するための手段】
【０００６】
本発明の架空線用部材は、送配電線の架空線の外周に取り付けられ、ブラックライトに反応する蛍光剤を含み、ブラックライトが照射されると発光する架空線用部材であることを特徴とする。
【０００７】
具体的な形態として、前記架空線用部材は、架空線の外周に螺旋状に取り付けられる。また、前記架空線用部材は、螺旋状に予備成形されたスパイラル線である。さらに、前記架空線用部材は、芯線と樹脂被覆層からなり，前記樹脂被覆層に前記蛍光剤が混合される。他の例として、前記架空線用部材は、架空線の外周に筒状に取り付けられるカバーである。前記カバーは合成樹脂からなり、この合成樹脂に前記蛍光剤が混合される。
【発明の効果】
【０００８】
本発明の架空線用部材は、ブラックライトに反応する蛍光剤を含み、ブラックライトが照射されると発光する架空線用部材であって、架空線の外周に取付けられるものであるから、既に電柱などの支持物に架設されているブラックライト発光機能を有しない架空線に対しても、後から架空線に取付けてブラックライトによる点検法を利用可能としえる。また、架空線用部材の発光度合いが低下したら、架空線はそのままで、架空線用部材のみを交換することにより、発光度合いを回復させることができる。
【発明を実施するための最良の形態】
【０００９】
次に添付図面を参照して本発明による架空線用部材の実施の形態を詳細に説明する。
【００１０】
本発明の架空線用部材の第１実施形態は、図１に示すように螺旋状の線材１０で構成されるものであって、送配電線としての架空線２０の外周に螺旋状に巻き付けて取付けられる。図２は、線材１０を取付けた複数の架空線２０が支持物である電柱３０上に架設された状態を示す。
【００１１】
架空線２０は、図３に断面図を示すように、中心の導体（芯線）２１を絶縁外装体２２で被覆して構成される。
【００１２】
線材１０は、図４に断面図を示すように、中心の金属または非金属の芯線１１を周囲の樹脂被覆層１２で被覆して構成される。そして、この線材１０が架空線２０の外周に螺旋状に巻き付けて取付けられるわけであるが、線材１０の樹脂被覆層１２には、ブラックライトに反応して発光する蛍光剤（例えばＺｎＳ−ＣｕやＺｎＳ−Ｍｎなど）が混合される。
【００１３】
したがって、図５に示すように、夜間、ブラックライトランプ４１を用いてブラックライトを架空線２０に照射すれば、線材１０が発光し視認できるので、一体に設けられている架空線２０の状況を確認・点検することが可能となり、例えば最も下の架空線２０のように架空線２０が断線していれば、断線を速やかに発見することができる。
【００１４】
そして、上記のような第１実施形態によれば、ブラックライトが照射されると発光する線材１０を架空線２０に螺旋状に巻き付けるようにしたので、既に電柱などの支持物に架設されているブラックライト発光機能を有しない架空線に対しても、後から上記の線材１０を螺旋状に巻き付けるだけで、ブラックライトによる点検法を利用可能としえる。また、線材１０の発光度合いが低下したら、架空線２０はそのままで、線材１０のみを交換することにより、発光度合いを回復させることができる。
【００１５】
なお、線材１０として、螺旋状に予備成形されたスパイラル線を使用すれば、架空線２０に対する巻き付けが容易となり、巻き付け作業能率を上げることができる。
【００１６】
図６は、本発明の架空線用部材の第２実施形態を示す側面図である。この第２実施形態では架空線用部材が筒状のカバー５０で構成されており、架空線２０の外周に取付けられる。
【００１７】
筒状のカバー５０の詳細側面図を図７(Ａ)に、断面図を図７(Ｂ)に示す。筒状のカバー５０は合成樹脂例えばポリエチレン樹脂からなり、一端には雄型連結部５１が設けられ、他端には雌型連結部５２が設けられる。したがって、筒状のカバー５０は複数本を長さ方向に連結して使用でき、図６では２本を長さ方向に連結して使用している。
【００１８】
また、筒状のカバー５０は、図７(Ｂ)の断面図でよく分かるように、下部が長さ方向に沿って２分割されており、この２分割部分から架空線２０に被せることができる。また、この２分割部分には、分割で生じた各縁部から外側に突出させて対向する一対のフランジ５３，５４が設けられており、さらに一方側の縁部には、他方側の縁部上に重なって逆止弁の作用をする爪５５が設けられている。
【００１９】
そして、このような筒状のカバー５０は上記のように合成樹脂で形成されるが、その合成樹脂中にブラックライトに反応して発光する蛍光剤が混合される。したがって、架空線２０の外周に螺旋状に線材１０を巻き付けた第１実施形態の場合と同様に、夜間、架空線２０にブラックライトを照射すれば、筒状のカバー５０が発光し視認できるので、一体に設けられている架空線２０の状況を確認・点検することができる。
【００２０】
さらに、この第２実施形態の場合も、ブラックライトが照射されると発光する筒状のカバー５０を架空線２０に取付ける方法であるから、既に電柱などの支持物に架設されているブラックライト発光機能を有しない架空線に対しても、後から上記のカバー５０を取付けるだけで、ブラックライトによる点検法を利用可能としえる。また、カバー５０の発光度合いが低下したら、架空線２０はそのままで、カバー５０のみを交換することにより、発光度合いを回復させることができる。
【図面の簡単な説明】
【００２１】
【図１】本発明による架空線用部材の第１実施形態を示す側面図。
【図２】本発明の第１実施形態の架空線用部材を取付けた架空線を電柱に架設した状態を示す図。
【図３】架空線の断面図。
【図４】本発明の架空線用部材の第１実施形態である線材の断面図。
【図５】本発明の第１実施形態の架空線用部材を取付けた架空線にブラックライトを照射した状態を示す図。
【図６】本発明による架空線用部材の第２実施形態を示す側面図。
【図７】本発明の架空線用部材の第２実施形態である筒状カバーの詳細を示し、(Ａ)は側面図、(Ｂ)は断面図。
【符号の説明】
【００２２】
１０  線材
１１  芯線
１２  樹脂被覆層
２０  架空線
５０  筒状のカバー
【図１】
2007181366.tif 000003
【図２】
2007181366.tif 000004
【図３】
2007181366.tif 000005
【図４】
2007181366.tif 000006
【図５】
2007181366.tif 000007
【図６】
2007181366.tif 000008
【図７】
2007181366.tif 000009